(57)【要約】      （修正有）【課題】アクアリウム内の水が波紋現象を起こすアクアリウムの照明設備を提供する。【解決手段】照明設備は、放熱装置からなり、放熱装置は、第１発光装置、第２発光装置、第３発光装置を含む。第１発光装置は、青色光を生じ、且つ放熱装置に設置した複数の第１面発光モジュールを具備する。第２発光装置は、白色光を生じ、且つ放熱装置に設置した複数の第２面発光モジュールを具備する。第３発光装置は、赤色光を生じ、且つ放熱装置に設置した複数の第３面発光モジュールを具備する。アクアリウム内の水に波動が生じた際、複数の第１、第２、第３面発光モジュールから生じる光源がアクアリウム内の水を投射する。【選択図】図１Ａ
0003159336.tif 000002
【実用新案登録請求の範囲】
【請求項１】
アクアリウムの照明設備であって、
青色光を生じ且つ前記放熱装置に設置した少なくとも１つの第１面発光モジュールを具備し、前記第１面発光モジュールは第１基板、前記第１基板に電気的に接続された複数の第１青色発光ダイオードダイス及び前記複数の第１青色発光ダイオードダイスを覆い被せる透明樹脂を有する第１発光装置と、
白色光を生じ且つ前記放熱装置に設置した少なくとも１つの第２面発光モジュールを具備し、前記第２面発光モジュールは第２基板、前記第２基板に電気的に接続された複数の第２青色発光ダイオードダイス及び前記複数の第２青色発光ダイオードダイスを覆い被せる蛍光樹脂を有する第２発光装置と、
赤色光を生じ且つ前記放熱装置に設置した少なくとも１つの第３面発光モジュールを具備し、前記第３面発光モジュールは第３基板、前記第３基板に電気的に接続された複数の第３青色発光ダイオードダイス及び前記複数の第３青色発光ダイオードダイスを覆い被せる赤色顔料層を有する第３発光装置と、
からなる放熱装置を含み、アクアリウム内の水が波動を生じた際、前記第１、第２、第３面発光モジュールから生じた光源が前記アクアリウム内の水を投射すると、前記アクアリウム内の水が波紋現象を起こすことを特徴とするアクアリウムの照明設備。
【請求項２】
前記第１、第２、第３面発光モジュールは順次前方から後方に配列することを特徴とする請求項１に記載のアクアリウムの照明設備。
【請求項３】
前記第１、第２、第３面発光モジュールは内円、中心円、外円を有する同心円状に選択的に配列することができることを特徴とする請求項１に記載のアクアリウムの照明設備。
【請求項４】
前記放熱装置の頂部には放熱用液体を流すための流路を有することを特徴とする請求項１に記載のアクアリウムの照明設備。
【請求項５】
アクアリウムの照明設備であって、
青色光を生じ且つ前記放熱装置に設置した複数の第１面発光モジュールを具備する第１発光装置と、
白色光を生じ且つ前記放熱装置に設置した複数の第２面発光モジュールを具備する第２発光装置と、
赤色光を生じ且つ前記放熱装置に設置した複数の第３面発光モジュールを具備する第３発光装置と、
からなる放熱装置を含み、アクアリウム内の水が波動を生じた際、前記複数の第１、第２、第３面発光モジュールから生じた光源が前記アクアリウム内の水を投射すると、前記アクアリウム内の水が波紋現象を起こすことを特徴とするアクアリウムの照明設備。
【請求項６】
アクアリウムの照明設備であって、
青色光を生じ且つ前記放熱装置に設置した複数の第１面発光モジュールを具備する第１発光装置と、
白色光を生じ且つ前記放熱装置に設置した複数の第２面発光モジュールを具備する第２発光装置と、
からなる放熱装置を含み、これによってアクアリウム内の水が波動を生じた際、前記複数の第１、第２面発光モジュールから生じた光源が前記アクアリウム内の水を投射すると、前記アクアリウム内の水が波紋現象を起こすことを特徴とするアクアリウムの照明設備。
【請求項７】
各第１、第２面発光モジュールは順次前方から後方に配列することを特徴とする請求項６に記載のアクアリウムの照明設備。
【請求項８】
各第１、第２面発光モジュールは内円と外円を有する同心円状に選択的に配列することができることを特徴とする請求項６に記載のアクアリウムの照明設備。
【考案の詳細な説明】
【技術分野】
【０００１】
本考案は発光ダイオードのパッケージ構造に関し、特にアクアリウム内の水が波紋現象を起こすアクアリウムの照明設備に関する。
【背景技術】
【０００２】
既存のアクアリウムの照明装置は蛍光灯を有し、アクアリウムの頂部に架設する。従来、アクアリウムの照明装置を利用して、アクアリウムで飼育する水生生物に適度な照明を提供することができた。しかし、従来の蛍光灯は発熱量が大きく、しかも明滅することから、蛍光灯がアクアリウムの頂部付近の水生環境に影響を及ぼす。またアクアリウムの多くは自宅のインテリアデザインや業務用の展示として用いられているものの、蛍光灯では単一カラーしか出せず、装飾用としての変化に乏しく、ユーザーが単調と感じ易い。
【０００３】
そこで、本考案人は上記の欠点が改善可能と考え、鋭意検討を重ねた結果、合理的設計で上記の課題を効果的に改善する本考案の提案に到った。
【考案の概要】
【考案が解決しようとする課題】
【０００４】
本考案が解決しようとする技術的課題は、アクアリウムの照明設備から生じる光源が前記アクアリウム内の水を投射すると、前記アクアリウム内の水が波紋現象を起こすアクアリウムの照明設備を提供することである。
【課題を解決するための手段】
【０００５】
上記の技術的課題を解決するために、本考案のうちの１つの方案に基づき、放熱装置、第１発光装置、第２発光装置及び第３発光装置を含むアクアリウムの照明設備を提供する。前記第１発光装置は、青色光を生じ且つ前記放熱装置に設置した複数の第１面発光モジュールを具備する。前記第２発光装置は、白色光を生じ且つ前記放熱装置に設置した複数の第２面発光モジュールを具備する。前記第３発光装置は、赤色光を生じ且つ前記放熱装置に設置した複数の第３面発光モジュールを具備する。アクアリウム内の水が波動を生じた際、前記複数の第１、第２、第３面発光モジュールから生じた光源が前記アクアリウム内の水を投射すると、前記アクアリウム内の水が波紋現象を起こす。
【考案の効果】
【０００６】
従って、本考案の有益な効果は次の通りである。アクアリウムの水生植物の設計に基づき、前記複数の第１、第２、第３面発光モジュールは異なる形状に配列することができる。アクアリウム内の水が波動を生じた際（例えば、水循環設備をオンする）、前記複数の第１、第２、第３面発光モジュールから生じた光源が前記アクアリウム内の水を投射すると、前記アクアリウム内の水が波紋現象を起こす。
【０００７】
本考案が所定の目的を達するために採用した技術、方法及び効果を一層理解できるよう、以下に本考案に関する詳細説明と添付図面を参照することで、本考案の目的、特徴がこれによって深く具体的に理解されると信じる。然しながら、添付図面は参考及び説明用に供したに過ぎず、本考案に制限を課すものではない。
【図面の簡単な説明】
【０００８】
【図１Ａ】本考案の実施例１の底面図である。
【図１Ｂ】本考案の実施例１の側断面図である。
【図１Ｃ】本考案の実施例１のアクアリウムに応用した正面断面図である。
【図２Ａ】本考案の実施例１の第１面発光モジュールから生じた光源のスペクトログラムである。
【図２Ｂ】本考案の実施例１の第２面発光モジュールから生じた光源のスペクトログラムである。
【図２Ｃ】本考案の実施例１の第３面発光モジュールから生じた光源のスペクトログラムである。
【図３Ａ】本考案の実施例２の底面図である。
【図３Ｂ】本考案の実施例２の側断面図である。
【図４】本考案の実施例３の底面図である
【考案を実施するための形態】
【０００９】
（実施例１）
図１Ａから図１Ｃに示すように、本考案の実施例１は放熱装置Ｐ、第１発光装置、第２発光装置及び第３発光装置を含むアクアリウムの照明設備を提供する。
【００１０】
前記第１発光装置は、青色光を生じ且つ前記放熱装置Ｐに設置した複数の第１面発光モジュール１を具備し、それから生じる光源のスペクトログラム（ｓｐｅｃｔｒｏｇｒａｍ）は図２Ａに示すとおりである。また、各第１面発光モジュール１は第１基板１０、前記第１基板１０に電気的に接続された複数の第１青色発光ダイオード（ＬＥＤ）ダイス１１、前記複数の第１青色発光ダイオードダイス１１を覆い被せる透明樹脂１２及び第１反射装置１３を有する。
【００１１】
前記複数の第１青色発光ダイオードダイス１１から生じる光波長は４５０ｎｍ±５０ｎｍでよく、しかも前記複数の第１青色発光ダイオードダイス１１はワイヤボンディング方式で前記第１基板１０に電気的に接続される。また、前記第１反射装置１３は塗布する方法で前記第１基板１０の上表面の第１囲繞型反射樹脂１３０に囲繞するように形成し、前記第１囲繞型反射樹脂１３０は前記複数の第１青色発光ダイオードダイス１１を囲繞して、前記第１基板１０の上方にある第１樹脂位置限定スペースＲ１を形成する。このほかに、前記透明樹脂１２は前記第１樹脂位置限定スペースＲ１内に固定され、前記第１囲繞型反射樹脂１３０の上表面は円弧形で、第１囲繞型反射樹脂１３０は前記第１基板１０の上表面の円弧形状の接線Ｔに対する角度θが４０〜５０度の間にあり、前記第１囲繞型反射樹脂１３０の頂面の前記第１基板１０の上表面に対する高さＨが０．３〜０．７ｍｍの間にある。
【００１２】
前記第２発光装置は、白色光を生じ且つ前記放熱装置Ｐに設置した複数の第２面発光モジュール２を具備し、それから生じる光源のスペクトログラムは図２Ｂに示すとおりである。また、各第２面発光モジュール２から生じる色温度は６５００Ｋ±５００Ｋでよい。このほかに、各第２面発光モジュール２は第２基板２０、前記第２基板２０に電気的に接続された複数の第２青色発光ダイオード（ＬＥＤ）ダイス２１、前記複数の第２青色発光ダイオードダイス２１を覆い被せる蛍光樹脂２２及び第２反射装置２３を有する。
【００１３】
前記複数の第２青色発光ダイオードダイス２１から生じる光波長は４５０ｎｍ±５０ｎｍでよく、しかも前記複数の第２青色発光ダイオードダイス２１はワイヤボンディング方式で前記第２基板２０に電気的に接続される。また、前記第２反射装置２３は塗布する方法で前記第２基板２０の上表面の第２囲繞型反射樹脂２３０に囲繞するように形成し、前記第２囲繞型反射樹脂２３０は前記複数の第２青色発光ダイオードダイス２１を囲繞して、前記第２基板２０の上方にある第２樹脂位置限定スペースＲ２を形成する。このほかに、前記透明樹脂２２は前記第２樹脂位置限定スペースＲ２内に固定され、前記第２囲繞型反射樹脂２３０の上表面は円弧形で、第２囲繞型反射樹脂２３０は前記第２基板２０の上表面の円弧形状の接線Ｔに対する角度θが４０〜５０度の間にあり、前記第２囲繞型反射樹脂２３０の頂面の前記第２基板２０の上表面に対する高さＨが０．３〜０．７ｍｍの間にある。
【００１４】
前記第３発光装置は、赤色光を生じ且つ前記放熱装置Ｐに設置した複数の第３面発光モジュール３を具備し、それから生じる光源のスペクトログラムは図２Ｃに示すとおりである。また、各第３面発光モジュール２から生じる光波長は６００ｎｍから８００ｎｍの間でよい。このほかに、各第３面発光モジュール３は第３基板３０、前記第３基板３０に電気的に接続された複数の第３青色発光ダイオード（ＬＥＤ）ダイス３１、前記複数の第３青色発光ダイオードダイス３１を覆い被せる赤色顔料層３２及び第３反射装置３３を有する。
【００１５】
前記複数の第３青色発光ダイオードダイス３１から生じる光波長は４５０ｎｍ±５０ｎｍでよく、しかも前記複数の第３青色発光ダイオードダイス３１はワイヤボンディング方式で前記第３基板３０に電気的に接続される。また、前記第３反射装置３３は塗布する方法で前記第３基板３０の上表面の第３囲繞型反射樹脂３３０に囲繞するように形成し、前記第３囲繞型反射樹脂３３０は前記複数の第３青色発光ダイオードダイス３１を囲繞して、前記第３基板３０の上方にある第３樹脂位置限定スペースＲ３を形成する。このほかに、前記赤色顔料層３２は前記第３樹脂位置限定スペースＲ３内に固定され、前記第３囲繞型反射樹脂３３０の上表面は円弧形で、前記第３囲繞型反射樹脂３３０は前記第３基板３０の上表面の円弧形状の接線Ｔに対する角度θが４０〜５０度の間にあり、前記第３囲繞型反射樹脂３３０の頂面の前記第３基板３０の上表面に対する高さＨが０．３〜０．７ｍｍの間にある。
【００１６】
アクアリウムＡの水生植物の設計に基づき、前記第１、第２、第３面発光モジュール（１、２、３）は異なる形状に配列することができる。例えば、図１Ａに示すように、前記複数の第１面発光モジュール１は最前列に配列し、前記複数の第２面発光モジュール２は中間列に配列し、前記複数の第３面発光モジュール３は最後列に配列する。換言すると、各第１面発光モジュール１、各第２面発光モジュール２及び各第３面発光モジュール３は順次前方から後方に配列する。
【００１７】
アクアリウムＡ内の水Ｗが波動を生じた際（例えば、水循環設備をオンする）、前記複数の第１、第２、第３面発光モジュール（１、２、３）から生じた光源が前記アクアリウムＡ内の水Ｗを投射すると、前記アクアリウムＡ内の水Ｗが波紋現象を起こす。図１Ｃに示すように、光線が水Ｗの波の峰Ｗ１を投射すると、大部分の光線Ｌ１は反射されるが、一部の光線Ｌ２は屈折されて水Ｗ内を投射する。光線が水Ｗの波の谷Ｗ２を投射すると、大部分の光線Ｌ１は屈折されて水Ｗ内を投射するが、一部の光線Ｌ２は反射される。従って、光線は水中で屈折することによって、光線が水中で波紋現象を起こす。
【００１８】
前記複数の第１、第２、第３面発光モジュール（１、２、３）から生じた光線は「傾斜した角度」で前記アクアリウムＡ内の水Ｗを投射することができ、光線の水面に対して投射する傾斜角度が小さいほど、波紋現象がより際立つ。また、前記複数の第１、第２、第３面発光モジュール（１、２、３）が水面に接近するほど、波紋の密度が密になり、これと逆では疎になる。
【００１９】
異なるニーズに応じて、前記放熱装置Ｐの頂部に放熱用液体Ｑを流すための流路Ｐ１を増設することができる（図１Ｃの矢印参照）。前記複数の第１、第２、第３面発光モジュール（１、２、３）から生じた熱量は前記放熱装置Ｐによって前記流路Ｐ１内の放熱用液体Ｑに伝導して、前記複数の第１、第２、第３面発光モジュール（１、２、３）が過熱現象を生じるのを防止する。
【００２０】
また、ユーザーの異なるニーズに応じて、本考案の実施例１は前記複数の第３面発光モジュール３を使用しないで、前記第１、第２面発光モジュール（１、２）のみ使用することも可能である。
【００２１】
（実施例２）
図３Ａ、図３Ｂに示すように、本考案の実施例２は放熱装置Ｐ、第１発光装置、第２発光装置及び第３発光装置を含むアクアリウムの照明設備を提供する。
【００２２】
実施例２と実施例１の最大の相違点は次の通りである。実施例２では、各第１面発光モジュール１、各第２面発光モジュール２及び各第３面発光モジュール３は内円、中心円、外円を有する同心円状に選択的に配列することができる（つまり、前記複数の発光モジュール（１、２、３）の位置は異なるニーズに応じて変更することができ、図３Ａに挙げた例では、赤色光を生じる第３面発光モジュール３は内円にあり、白色光を生じる第２面発光モジュール３は中心円にあり、青色光を生じる第１面発光モジュール１は外円にある）。従って、ユーザーは図３Ａのように１組又は複数組の同心円状の発光モジュールを選択的に使用して、同様に実施例１での波紋現象を達成することができる。アクアリウムの水生植物の設計に基づき、前記複数の第１、第２、第３面発光モジュールは異なる形状に配列することができる。アクアリウム内の水が波動を生じた際（例えば、水循環設備をオンする）、前記複数の第１、第２、第３面発光モジュールから生じた光源が前記アクアリウム内の水を投射すると、前記アクアリウム内の水が波紋現象を起こす。
【００２３】
図４で示すように、本考案の実施例３は放熱装置Ｐ、第１発光装置及び第２発光装置を含むアクアリウムの照明設備を提供する。実施例３と実施例２の最大の相違点は次の通りである。実施例３では、各第１面発光モジュール１と各第２面発光モジュール２は内円と外円を有する同心円状に選択的に配列することができる（つまり、前記複数の発光モジュール（１、２）の位置は異なるニーズに応じて変更することができ、図４に挙げた例では、青色光を生じる第１面発光モジュール１は内円にあり、白色光を生じる第２面発光モジュール２は外円にある）。従って、ユーザーは図４のように１組又は複数組の同心円状の発光モジュールを選択的に使用して、同様に実施例１での波紋現象を達成することができる。
【００２４】
本実用新案登録請求の範囲に合致する精神及びその類似変更の実施例は何れも本考案の範疇に含まれ、その発明の属する技術の分野における通常の知識を有する者が本考案の分野で容易に思い付く変更又は修飾は全て以下の本願の実用新案登録請求の範囲に含まれるものとする。
【符号の説明】
【００２５】
Ｐ  放熱装置
Ｐ１  流路
１  第１面発光モジュール
１０  第１基板
１１  第１青色発光ダイオードダイス
１２  透明樹脂
１３  第１反射装置
１３０  第１囲繞型反射樹脂
Ｒ１  第１樹脂位置限定スペース
２  第２面発光モジュール
２０  第２基板
２１  第２青色発光ダイオードダイス
２２  蛍光樹脂
２３  第２反射装置
２３０  第２囲繞型反射樹脂
Ｒ２  第２樹脂位置限定スペース
３  第３面発光モジュール
３０  第３基板
３１  第３青色発光ダイオードダイス
３２  赤色顔料層
３３  第３反射装置
３３０  第３囲繞型反射樹脂
Ｒ３  第３樹脂位置限定スペース
Ｔ  円弧形状の接線
θ  角度
Ｈ  高さ
Ａ  アクアリウム
Ｗ  水
Ｗ１  波の峰
Ｗ２  波の谷
Ｌ１  大部分の光線
Ｌ２  一部の光線
Ｑ  放熱用液体
【図１Ａ】
0003159336.tif 000003
【図１Ｂ】
0003159336.tif 000004
【図１Ｃ】
0003159336.tif 000005
【図２Ａ】
0003159336.tif 000006
【図２Ｂ】
0003159336.tif 000007
【図２Ｃ】
0003159336.tif 000008
【図３Ａ】
0003159336.tif 000009
【図３Ｂ】
0003159336.tif 000010
【図４】
0003159336.tif 000011
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
アクアリウムの照明設備であって、
青色光を生じ且つ放熱装置に設置した少なくとも１つの第１面発光モジュールを具備し、前記第１面発光モジュールは第１基板、前記第１基板に電気的に接続された複数の第１青色発光ダイオードダイス及び前記複数の第１青色発光ダイオードダイスを覆い被せる透明樹脂を有する第１発光装置と、
白色光を生じ且つ前記放熱装置に設置した少なくとも１つの第２面発光モジュールを具備し、前記第２面発光モジュールは第２基板、前記第２基板に電気的に接続された複数の第２青色発光ダイオードダイス及び前記複数の第２青色発光ダイオードダイスを覆い被せる蛍光樹脂を有する第２発光装置と、
赤色光を生じ且つ前記放熱装置に設置した少なくとも１つの第３面発光モジュールを具備し、前記第３面発光モジュールは第３基板、前記第３基板に電気的に接続された複数の第３青色発光ダイオードダイス及び前記複数の第３青色発光ダイオードダイスを覆い被せる赤色顔料層を有する第３発光装置と、
からなる放熱装置を含み、アクアリウム内の水が波動を生じた際、前記第１、第２、第３面発光モジュールから生じた光源が前記アクアリウム内の水を投射すると、前記アクアリウム内の水が波紋現象を起こすことを特徴とするアクアリウムの照明設備。
【請求項２】
前記第１、第２、第３面発光モジュールは順次前方から後方に配列することを特徴とする請求項１に記載のアクアリウムの照明設備。
【請求項３】
前記第１、第２、第３面発光モジュールは内円、中心円、外円を有する同心円状に選択的に配列することができることを特徴とする請求項１に記載のアクアリウムの照明設備。
【請求項４】
前記放熱装置の頂部には放熱用液体を流すための流路を有することを特徴とする請求項１に記載のアクアリウムの照明設備。
【請求項５】
アクアリウムの照明設備であって、
青色光を生じ且つ放熱装置に設置した複数の第１面発光モジュールを具備する第１発光装置と、
白色光を生じ且つ前記放熱装置に設置した複数の第２面発光モジュールを具備する第２発光装置と、
赤色光を生じ且つ前記放熱装置に設置した複数の第３面発光モジュールを具備する第３発光装置と、
からなる放熱装置を含み、アクアリウム内の水が波動を生じた際、前記複数の第１、第２、第３面発光モジュールから生じた光源が前記アクアリウム内の水を投射すると、前記アクアリウム内の水が波紋現象を起こすことを特徴とするアクアリウムの照明設備。
【請求項６】
アクアリウムの照明設備であって、
青色光を生じ且つ放熱装置に設置した複数の第１面発光モジュールを具備する第１発光装置と、
白色光を生じ且つ前記放熱装置に設置した複数の第２面発光モジュールを具備する第２発光装置と、
からなる放熱装置を含み、これによってアクアリウム内の水が波動を生じた際、前記複数の第１、第２面発光モジュールから生じた光源が前記アクアリウム内の水を投射すると、前記アクアリウム内の水が波紋現象を起こすことを特徴とするアクアリウムの照明設備。
【請求項７】
各第１、第２面発光モジュールは順次前方から後方に配列することを特徴とする請求項６に記載のアクアリウムの照明設備。
【請求項８】
各第１、第２面発光モジュールは内円と外円を有する同心円状に選択的に配列することができることを特徴とする請求項６に記載のアクアリウムの照明設備。